(57)【要約】【課題】従来、バスダクト線路の長手方向中心軸Ｘを、水平方向Ｙまたは垂直方向Ｚに変化させるには、変化させる距離に応じて個別に軸調整ユニットを製作していたが、このように個別に軸調整ユニットを製作することは非常に面倒であるという問題があった。【課題を解決するための手段】  本発明に係るバスダクトの軸調整ユニットは、筒状箱体１０と、該筒状箱体１０の前後開口部に取り付けられた蓋体２０と、該蓋体２０をそれぞれ貫通すると共に中間部が蓋体２０に一体化された１対の接続用バスダクト３０と、該１対の接続用バスダクト３０の導体同士を筒状箱体１０内で電気的に接続した可撓導体４０とを備え、前記蓋体２０の少なくとも一方に長孔２１を設け、該長孔２１を利用して前記接続用バスダクトの長手方向中心軸を水平方向または垂直方向に移動させることができるように構成したものである。【選択図】  図１
2006238606.tif 000002
【特許請求の範囲】
【請求項１】
筒状箱体と、該筒状箱体の前後開口部に取り付けられた蓋体と、該蓋体をそれぞれ貫通すると共に中間部が蓋体に一体化された１対の接続用バスダクトと、該１対の接続用バスダクトの導体同士を筒状箱体内で電気的に接続した可撓導体とを備え、前記蓋体の少なくとも一方は、該蓋体に一体化された接続用バスダクトの長手方向中心軸を水平方向に移動させることができるように筒状箱体に取り付けられていることを特徴とするバスダクトの軸調整ユニット。
【請求項２】
筒状箱体と、該筒状箱体の前後開口部に取り付けられた蓋体と、該蓋体をそれぞれ貫通すると共に中間部が蓋体に一体化された１対の接続用バスダクトと、該１対の接続用バスダクトの導体同士を筒状箱体内で電気的に接続した可撓導体とを備え、前記蓋体の少なくとも一方は、該蓋体に一体化された接続用バスダクトの長手方向中心軸を垂直方向に移動させることができるように筒状箱体に取り付けられていることを特徴とするバスダクトの軸調整ユニット。
【発明の詳細な説明】
【技術分野】
【０００１】
本発明は、バスダクトの布設の際に使用するバスダクトの軸調整ユニットに関するものである。
【背景技術】
【０００２】
一般にバスダクトは、図５に示すように、所定長さの板状の導体３１０（例えばアルミ導体）の外周に絶縁層３２０を設けた帯板導体３３０を複数枚（通常は３枚）重ね合わせ、この重ね合わせた帯板導体３３０を金属性ダクト３４０内に収めた構造を有しており、これを長手方向に順次接続して所定長のバスダクト線路を形成するものである。
【０００３】
ところで、上記バスダクト線路を形成する際、バスダクト線路の角度を変化させたり、バスダクト線路の長手方向中心軸を変化させた状態でバスダクト線路を形成しなければならない場合がある。バスダクト線路の長手方向中心軸を変化させる場合としては、図５に示すように、バスダクト線路の長手方向中心軸Ｘを、水平方向Ｙに変化させる場合および垂直方向Ｚに変化させる場合がある。
【０００４】
バスダクト線路の角度を変化させるには、特許文献１に記載されているような、可撓性導体と可撓性カバーとからなる可撓性構造体を使用すればよい。
【０００５】
一方、バスダクト線路の長手方向中心軸Ｘを変化させるには、従来、図６及び図７に示すような軸調整ユニットを製作していた。すなわち、この図６に示した軸調整ユニットは、バスダクト線路の長手方向中心軸Ｘを水平方向Ｙに変化させる場合を示したもので、帯板導体３３０の中間部を折り曲げ加工してバスダクトの長手方向中心軸Ｘを、水平方向Ｙに水平軸ずれ距離Ｌだけずらしたものである。なお図６において、符号３３０はアルミ等の導体３１０の外周に絶縁層３２０を設けた帯板導体、３４０は３枚重ね合わせた帯板導体３３０を収めた金属性ダクトである。帯板導体３３０は金属ダクト３４０の両端から所定長突出しており、該突出部分には、絶縁層３２０を剥ぎ取って導体３１０を露出させると共に該露出させた導体３１０相互の間隔を広げて形成した接続部３５０が設けられている。前記各接続部３５０には、他のバスダクトの導体がそれぞれ接続されるものでる。
【０００６】
上記のような軸調整ユニットを使用すれば、バスダクト線路の長手方向中心軸Ｘを水平方向Ｙに変化させることが出来る。
【０００７】
また、バスダクト線路の長手方向中心軸Ｘを垂直方向Ｚに変化させたい場合には、図７に示すような軸調整ユニットを製作していた。すなわち、この軸調整ユニットは、帯板導体３３０を、２個の直線部３３０Ａと１個の垂直部３３０Ｂに分割し、垂直部３３０Ｂの両端側にそれぞれ直線部３３Ａを溶接接続３８０し、これによってバスダクトの長手方向中心軸Ｘを、垂直方向Ｚに垂直軸ずれ距離Ｌだけずらしたものである。なお図７において、符号３３０はアルミ等の導体３１０の外周に絶縁層３２０を設けた帯板導体、３４０は３枚重ね合わせた帯板導体３３０を収めた金属性ダクトである。なお、帯板導体３３０は金属ダクト３４０の両端から所定長突出しており、該突出部分には、絶縁層３２０を剥ぎ取って導体３１０を露出させると共に該露出させた導体３１０相互の間隔を広げて形成した接続部３５０が設けられている点、及び前記各接続部３５０には、他のバスダクトの導体がそれぞれ接続されている点は前記説明と同様である。
【０００８】
上記のような軸調整ユニットを使用すれば、バスダクト線路の長手方向中心軸Ｘを垂直方向Ｚに変化させることが出来る。
【０００９】
【特許文献１】実開平６−１３３３５号公報
【発明の開示】
【発明が解決しようとする課題】
【００１０】
しかしながら、上記従来の軸調整ユニットは、現場の軸ずれ距離にあわせてその都度製作しなければならず、この製作が面倒であるという問題があった。特に軸ずれ距離Ｌが短い場合には、帯板導体の折り曲げ加工等が困難であるという問題があった。
【課題を解決するための手段】
【００１１】
本発明は、上記問題点を解決したバスダクトの軸調整ユニットを提供するもので、その構成は、筒状箱体と、該筒状箱体の前後開口部に取り付けられた蓋体と、該蓋体をそれぞれ貫通すると共に中間部が蓋体に一体化された１対の接続用バスダクトと、該１対の接続用バスダクトの導体同士を筒状箱体内で電気的に接続した可撓導体とを備え、前記蓋体の少なくとも一方は、該蓋体に一体化された接続用バスダクトの長手方向中心軸を水平方向に移動させることができるように筒状箱体に取り付けられていることを特徴とするものである（請求項１）。
【００１２】
また、筒状箱体と、該筒状箱体の前後開口部に取り付けられた蓋体と、該蓋体をそれぞれ貫通すると共に中間部が蓋体に一体化された１対の接続用バスダクトと、該１対の接続用バスダクト導体同士を筒状箱体内で電気的に接続した可撓導体とを備え、前記蓋体の少なくとも一方は、該蓋体に一体化された接続用バスダクトの長手方向中心軸を垂直方向に移動させることができるように筒状箱体に取り付けられていることを特徴とするものである（請求項２）。
【発明の効果】
【００１３】
請求項１のように、可撓導体を使用し、しかも蓋体の少なくとも一方を、該蓋体に一体化された接続用バスダクトの長手方向中心軸を水平方向に移動させることができるように筒状箱体に取り付けることにより、蓋体を移動させるのみで簡単に接続用バスダクトの長手方向中心軸を水平方向に移動させることができる。
【００１４】
また、請求項２のように、可撓導体を使用し、しかも蓋体の少なくとも一方を、該蓋体に一体化された接続用バスダクトの長手方向中心軸を垂直方向に移動させることができるように筒状箱体に取り付けることにより、蓋体を移動させるのみで簡単に接続用バスダクトの長手方向中心軸を垂直方向に移動させることができる。
【発明を実施するための最良の形態】
【００１５】
以下、本発明を実施するための最良の形態実施につき、図を参照して詳細に説明する。
図１ないし図３は、バスダクト線路の長手方向中心軸Ｘを水平方向Ｙに移動させる場合の実施例であり、図１は本発明に係るバスダクトの軸調整ユニットの一部切開平面図、図２は本発明で使用する蓋体の説明図、図３は軸調整状態の一部切開平面図である。
【００１６】
本発明に係るバスダクトの軸調整ユニットは、筒状箱体１０と、該筒状箱体１０の前後開口部に取り付けられた蓋体２０と、該蓋体２０をそれぞれ貫通すると共に中間部が蓋体２０に一体化された１対の接続用バスダクト３０と、該１対の接続用バスダクト３０同士を筒状箱体１０内で電気的に接続した可撓導体４０とを備えている。
【００１７】
筒状箱体１０は断面４角形を有しており、前後が開口している。この筒状箱体１０は、鉄板を折り曲げ加工して作られている。
【００１８】
前記筒状箱体１０の前後開口部には、それぞれ蓋体２０が取り付けられている。この蓋体２０には、図２に示すように、接続用バスダクト３０の長手方向中心軸Ｘを水平方向Ｙに移動させることができるようにＹ方向（水平方向）に伸びた長孔２１が設けられている。この長孔２１には、図１に示すように、ボルト５０が挿通され、該ボルト５０を筒状箱体１０の開口部のフランジ部１１に取り付けることにより、蓋体２０を筒状箱体１０の開口部に固定できるようになっている。また蓋体２０は２つ割りとなっており、該２つ割り部分に接続用バスダクト３０を貫通させるための貫通孔２２が設けられている。
【００１９】
１対の接続用バスダクト３０は、それぞれ所定長の導体３１（例えばアルミ導体）を絶縁層３２で覆った帯板導体３３を３枚重ね合わせて金属性ダクト３４内に収めた構造である。この１対の接続用バスダクト３０は、中間部が各蓋体２０をそれぞれ貫通して該蓋体２０に一体化されている。なお前記一体化とは、接続用バスダクト３０が蓋体２０と一体に動くような構造であればよいことを意味し、溶接等で接続されて完全に一体化されていなくてもよい。
【００２０】
また、接続用バスダクト３０の筒状箱体１０から外側に突出した一端側には、絶縁層３２を剥ぎ取って導体３１を露出させると共に該露出させた導体３１相互の間隔を広げて形成した接続部３５が設けられている。この接続部３５には、他のバスダクトの導体が接続されるものである。なお、接続された他のバスダクトと接続用バスダクトとは、それぞれの長手方向中心軸が一致した状態になっている。
【００２１】
また接続用バスダクト３０の筒状箱体１０内に突出した他端側の導体３１には可撓導体接続部３７が設けられている。この可撓導体接続部３７にはそれぞれ可撓導体４０が接続されており、これによって１対の接続用バスダクト３０の導体同士が電気的に接続されている。可撓導体４０としては、銅やアルミの薄板を積層したもの、銅線やアルミ線を編組状にしたもの、銅線やアルミ線を撚合わせたもの等が使用できる。
【００２２】
次に上記構成の本発明に係るバスダクトの軸調整ユニットの使用状態について説明する。
図３に示すように、バスダクト線路の長手方向中心軸Ｘを水平方向Ｙに軸ずれ距離Ｌだけ移動させたい場合には、一方の蓋体２０についているボルト５０を緩め、蓋体２０に設けられた長孔２１を利用して蓋体２０を、水平方向Ｙに軸ずれ距離Ｌだけ移動させればよい。この蓋体２０の移動に伴って該蓋体２０に一体化されている接続用バスダクト３０も水平方向Ｙに軸ずれ距離Ｌだけ移動する。接続用バスダクト３０相互は可撓導体４０で接続されているので、蓋体２０の移動に伴って接続用バスダクト３０も容易に移動することができる。これによってバスダクト線路の長手方向中心軸Ｘを水平方向Ｙに移動させることができる。なお、図３において図１と同一部分には同一符号がしてあり、説明を省略する。
【００２３】
図４は、バスダクト線路の長手方向中心軸Ｘを垂直方向Ｚに移動させる場合の実施例である。前記実施例と異なる点は、蓋体２０に設ける長孔２１の方向であり、該長孔２１が垂直方向Ｚ（上下方向）に伸びている点が前記実施例と異なっている。このような長孔２１を設けた蓋体２０を、図１に示した筒状箱体１０に、ボルト５０で取り付けて使用するものである。蓋体２０に接続用バスダクト３０を貫通させる点等は前記実施例と同一であるので説明を省略する。
【００２４】
上記のような垂直方向Ｚ（上下方向）に伸びた長孔２１を設けた蓋体２０を使用すると、バスダクト線路の長手方向中心軸Ｘを垂直方向Ｚに容易に移動させることができる。
【００２５】
なお本発明で使用する筒状箱体の形状や、帯板導体の枚数等は特に限定するものではない。
【図面の簡単な説明】
【００２６】
【図１】本発明に係るバスダクトの軸調整ユニットの一部切開平面図
【図２】本発明で使用する蓋体の説明図
【図３】本発明に係るバスダクトの軸調整ユニットの使用状態の一部切開平面図
【図４】本発明で使用する蓋体の他の実施形態を示す説明図
【図５】バスダクトの断面図
【図６】従来のバスダクトの軸調整ユニットの一部切開平面図
【図７】従来のバスダクトの軸調整ユニットの他の実施形態の一部切開平面図。
【符号の説明】
【００２７】
１０      筒状箱体
１１      フランジ部
２０      蓋体
３０      接続用バスダクト
３１      導体
３２      絶縁層
３３      帯板導体
３４      金属性ダクト
３５      接続部
４０      可撓導体
５０      ボルト
【図１】
2006238606.tif 000003
【図２】
2006238606.tif 000004
【図３】
2006238606.tif 000005
【図４】
2006238606.tif 000006
【図５】
2006238606.tif 000007
【図６】
2006238606.tif 000008
【図７】
2006238606.tif 000009